(57)【要約】【課題】電動作業機器からの送信信号を受信し、集塵機を連動運転させる通信ユニットを備えた集塵機において、通信ユニットの誤使用により使用者が感電するのを防止する。【解決手段】集塵機４は、電動工具２との間で無線通信を行う通信ユニット６０と、集塵モータ４２やその駆動回路４４が設けられた集塵機本体４０とから構成される。集塵機本体４０は、外部の交流電源から電源供給を受けて動作するが、この交流電源と通信ユニット６０との間を絶縁するため、  集塵機本体４０には、絶縁トランスを備えた絶縁制御電源５２、及び、フォトカプラを備えた信号絶縁回路４８を設ける。【選択図】図１
2015029962.tif 000002
【特許請求の範囲】
【請求項１】
外部の交流電源から電源供給を受けて動作する集塵機本体と、
前記集塵機本体に装着され、電動作業機器から無線送信された連動運転要求信号を受信して、前記集塵機本体に動作指令を出力する通信ユニットと、
を備え、前記集塵機本体には、前記交流電源と前記通信ユニットとを電気的に絶縁させる絶縁手段が設けられていることを特徴とする集塵機。
【請求項２】
前記絶縁手段として、絶縁トランスを備えたことを特徴とする請求項１に記載の集塵機。
【請求項３】
前記絶縁手段として、前記交流電源から電源供給を受けて動作する動作部と前記通信ユニットとの間の信号の授受を非接触に行う非接触回路を備えたことを特徴とする請求項１又は請求項２に記載の集塵機。
【請求項４】
前記通信ユニットは、
無線通信用のアンテナと、
前記集塵機本体との間で前記動作指令を含む信号の授受を行う信号入出力部と、
前記アンテナ及び前記信号入出力部を介して入出力される信号を制御する制御部と、
を備え、前記アンテナは、前記制御部を挟んで、前記信号入出力部とは反対側に配置されていることを特徴とする請求項１〜請求項３の何れか１項に記載の集塵機。
【請求項５】
前記集塵機本体には、
前記通信ユニットに電源供給を行う電源供給経路と、
該電源供給経路に流れる電流に基づき、前記通信ユニットが装着されたことを検出する検出回路と、
が備えられていることを特徴とする請求項１〜請求項４の何れか１項に記載の集塵機。
【請求項６】
前記通信ユニットは、
無線通信用のアンテナと、
前記集塵機本体との間で前記動作指令を含む信号の授受を行う信号入出力部と、
前記アンテナ及び前記信号入出力部を介して入出力される信号を制御する制御部と、
を備え、少なくとも前記制御部は防水用の樹脂部品で覆われ、当該通信ユニットのケース内に収納されていることを特徴とする請求項１〜請求項５の何れか１項に記載の集塵機。
【発明の詳細な説明】
【技術分野】
【０００１】
本発明は、電動作業機器との連動運転を実施可能な集塵機に関する。
【背景技術】
【０００２】
従来、この種の集塵機として、電動作業機器の動作時に電動作業機器から無線送信される信号を受信する通信ユニット（アダプタ）を備え、通信ユニットにて電動作業機器からの信号が受信されると、集塵機を運転するように構成されたものが知られている（例えば、特許文献１参照）。
【０００３】
この種の集塵機によれば、電動作業機器との間に、電動作業機器の動作状態を検出するための信号線を設けることなく、電動作業機器と連動運転させることができるので、例えば、電動作業機器が充電式のコードレス機器であっても連動機能を実現できる。
【先行技術文献】
【特許文献】
【０００４】
【特許文献１】特許第４９５５３３２号公報
【発明の概要】
【発明が解決しようとする課題】
【０００５】
しかしながら、上記従来の集塵機においては、通信ユニットが集塵機本体に設けられたコンセントから交流電源の供給を受けて動作し、通信ユニットが電動機器からの信号を受信した際、交流電源の消費電力を増大させることで、集塵機本体にその旨を通知し、連動運転を開始させるようにしている。
【０００６】
このため、通信ユニットには、集塵機本体に連動運転を開始させるだけの電力消費が必要であり、通信ユニット内の電力消費回路が大型化・重量化する問題を避けられなかった。また、通信ユニットの大型化・重量化により、通信ユニットが集塵機本体のコンセントから外れ易くなり、外れかかったコンセントに不意に触れる可能性や、通信ユニットを落とした時に外ケースが割れ易くなり、その状態で通信ユニットに雨水が浸入すれば漏電する可能性等、使用者が交流電源に感電するリスクがある。
【０００７】
本発明は、こうした問題に鑑みなされたものであり、連動運転の対象となる電動作業機器からの送信信号を受信し、集塵機を連動運転させる通信ユニットを備えた集塵機において、通信ユニットの誤使用があったとしても、使用者が交流電源に感電することの防止を目的とする。
【課題を解決するための手段】
【０００８】
請求項１に記載の集塵機は、外部の交流電源から電源供給を受けて動作する集塵機本体と、集塵機本体に装着され、電動作業機器から無線送信された連動運転要求信号を受信すると、集塵機本体に動作指令を出力する通信ユニットとを備える。
【０００９】
そして、集塵機本体には、交流電源と通信ユニットとを電気的に絶縁させる絶縁手段が設けられている。
このため、本発明の集塵機によれば、使用者の通信ユニット誤使用によって、通信ユニット内部回路に万一使用者が触れたとしても、使用者が感電することを防止できる。
【００１０】
また、集塵機本体は、通信ユニットと別体で構成されることから、集塵機本体には、通信ユニットを装着した際に、通信ユニットとの間で信号を入出力するための端子が設けられる。
【００１１】
そして、この端子は、交流電源と電気的に絶縁されることになるので、通信ユニットを集塵機本体に装着する際、使用者がその端子に触れたとしても、感電することはなく、集塵機の安全性を向上できる。
【００１２】
ここで、絶縁手段としては、請求項２に記載のように、絶縁トランスを利用して、交流電源を集塵機内に取り込むようにしてもよく、更に、請求項３に記載のように、集塵機本体内で交流電源から電源供給を受けて動作する動作部と通信ユニットとの間の信号の授受を非接触に行う非接触回路を設けるようにしてもよい。
【００１３】
そして、請求項２に記載の集塵機によれば、絶縁トランスにより、通信ユニットと交流電源とを絶縁することができるだけでなく、絶縁トランスを介して、交流電源から電力を取り込むことができるので、集塵機本体の内部回路や通信ユニットへの電力供給を行うことができる。
【００１４】
また、請求項３に記載の集塵機によれば、集塵機本体内で交流電源から電源供給を受けて動作する動作部とその動作部を制御する制御部との間、若しくは、その制御部と通信ユニットとの間で、信号を非接触で入出力することができ、その信号の入出力部を介して、交流電源からのノイズが通信ユニット側に侵入するのを防止できる。
【００１５】
また、請求項３に記載の集塵機によれば、信号の入出力が非接触で行われるので、信号入出力用の端子間で接触不良が発生する懸念がなくなり、集塵機の信頼性を高めることができる。
【００１６】
次に、請求項４に記載の集塵機においては、通信ユニットは、無線通信用のアンテナと、集塵機本体との間で動作指令を含む信号の授受を行う信号入出力部と、アンテナ及び信号入出力部を介して入出力される信号を制御する制御部とを備える。そして、アンテナは、制御部を挟んで、信号入出力部とは反対側に配置されている。
【００１７】
これは、信号入出力部は、集塵機本体内の回路に接続され、その部分は、無線通信の妨げとなる壁になっていることが多く、しかも、ノイズ源となる集塵機本体の内部回路に近いためである。
【００１８】
つまり、請求項４に記載の集塵機によれば、アンテナを、無線通信の妨げとなる壁やノイズ源から遠ざけ、電動作業機器との間で行われる無線通信の通信品質を高めることができる。
【００１９】
また、請求項５に記載の集塵機においては、集塵機本体に、通信ユニットに電源供給を行う電源供給経路と、その電源供給経路に流れる電流に基づき、通信ユニットが装着されたことを検出する検出回路とが備えられている。
【００２０】
このため、集塵機本体に、通信ユニットが装着されたことを検出するための専用端子を設けることなく、通信ユニットの装着を検出することができ、集塵機本体に設ける通信ユニット装着用のコネクタのサイズを小さくして、集塵機本体の小型化及びコストダウンを図ることができる。
【００２１】
また、請求項６に記載の集塵機においては、通信ユニットが、請求項４に記載のものと同様、アンテナ、信号入出力部、及び、制御部を備える。そして、この内、少なくとも制御部は、防水用の樹脂部品で覆われ、当該通信ユニットのケース内に収納される。
【００２２】
このため、通信ユニットの制御部は、通信ユニットのケースと、防水用の樹脂部品とにより、二重で防水が施されることになり、通信ユニットの制御部が誤動作するのを、より良好に防止することができる。
【図面の簡単な説明】
【００２３】
【図１】実施形態の集塵機及び集塵機を連動運転させる電動工具の構成を表すブロック図である。
【図２】連動運転時に電動工具から集塵機へ送信される送信信号を表す説明図である。
【図３】集塵機に設けられる通信ユニットの構造を表す説明図である。
【図４】電動工具に設けられる通信ユニットの構造を表す説明図である。
【発明を実施するための形態】
【００２４】
以下に本発明の実施形態を図面と共に説明する。
図１に示すように、本実施形態の集塵機４は、電動工具２付近に先端が配置された集塵ホース４１を備え、集塵ホース４１を介して、電動工具２から排出された粉塵や切削屑を含むほこりを吸引するためのものであり、集塵機本体４０と、通信ユニット６０とを備える。
【００２５】
また、電動工具２は、モータ１４により切削砥石１２を回転させることで、加工対象物を切削加工するグラインダであり、工具本体１０と、工具本体１０に電源供給を行うバッテリパック２０と、工具本体１０とバッテリパック２０との間に設けられた通信ユニット３０とを備える。
【００２６】
ここで、工具本体１０は、モータ１４と、モータ１４の回転を切削砥石１２に伝達するための動力伝達部（図示せず）と、バッテリパック２０から電源供給を受けてモータ１４を駆動する駆動回路１６と、使用者により操作されてモータ１４の駆動指令を入力するためのトリガスイッチ１８とを備える。
【００２７】
また、通信ユニット３０は、モータ１４の駆動状態を検出する動作検出回路３２と、集塵機４側の通信ユニット６０との間でアンテナ３３を介して無線通信を行う送受信回路３４と、マイクロコンピュータにて構成された制御回路３６とを備える。
【００２８】
動作検出回路３２は、バッテリパック２０内のバッテリ２２から駆動回路１６への電源供給経路に流れる電流から、モータ１４の駆動状態を検出するためのものである。
そして、動作検出回路３２にて、モータ１４の駆動（換言すれば工具本体１０の動作）が検出されると、制御回路３６が、送受信回路３４から集塵機４の通信ユニット６０へ連動指令を送信させることで、集塵機４を連動運転させる。
【００２９】
また、通信ユニット３０は、集塵機４の通信ユニット６０に連動指令を送信する際には、連動運転要求信号と、自身の識別番号を表す識別番号信号とにより構成される信号を、所定時間間隔で定期的に送信する。
【００３０】
このため、通信ユニット３０には、自身の識別番号が予め設定された識別番号設定部３７が備えられている。
そして、制御回路３６は、動作検出回路３２を介して、工具本体１０の動作が検出されると、識別番号設定部３７から識別番号を読み出し、これを、電動工具２固有の識別情報として、連動運転要求信号と共に送受信回路３４に定期的に出力する。
【００３１】
この結果、工具本体１０が動作しているときには、通信ユニット３０から集塵機４の通信ユニット６０に向けて、図２に示す「連動運転要求信号＋識別番号信号」からなる連動指令が定期的に送信されることになる。
【００３２】
また、通信ユニット３０には、自身の識別番号を、電動工具２固有の識別情報として集塵機４に登録させる指令（登録指令）を入力する操作ＳＷ（ＳＷは、スイッチの略）を有するＳＷ回路３８が備えられている。
【００３３】
そして、制御回路３６は、電動工具２の動作停止時にＳＷ回路３８から識別番号の登録指令が入力されると、識別番号設定部３７から識別番号を読み出し、「識別番号登録要求信号＋識別番号信号」からなる識別番号登録用の信号を送受信回路３４に出力することで、通信ユニット３０から集塵機本体４０の通信ユニット６０に向けて、識別番号登録要求を送信させる。
【００３４】
次に、集塵機本体４０は、電動工具２から排出された粉塵や切削屑を含むほこりを吸引するための集塵モータ４２と、この集塵モータ４２を駆動する集塵モータ駆動回路４４と、外部の電源コンセントに挿入されて交流電源から電源供給を受けて集塵モータ駆動回路４４に供給する電源プラグ４５と、を備える。
【００３５】
また、電源プラグ４５から集塵モータ駆動回路４４に至る交流電源の伝送経路には、集塵機４を電動工具２の動作に連動させるか、連動させるのを禁止する（非連動にする）か、集塵機４の運転を停止させる（オフ）か、を切り替える切替ＳＷ４６が設けられている。
【００３６】
そして、切替ＳＷ４６がオフ状態でなければ（つまり、連動又は非連動であれば）、電源プラグ４５から入力される交流電圧が集塵モータ駆動回路４４に出力される。
また、集塵機本体４０には、マイクロコンピュータにて構成され、集塵モータ駆動回路４４による集塵モータ４２の駆動を制御する制御回路５０、この制御回路５０や集塵機本体４０に装着された通信ユニット６０に供給する直流電源電圧を生成する絶縁制御電源５２、及び、交流電源を電動作業機器に供給する電源コンセント５３が備えられている。
【００３７】
そして、切替ＳＷ４６が連動又は非連動に切り替えられているときには、切替スイッチ４６を介して、絶縁制御電源５２及び電源コンセント５３にも、電源プラグ４５から入力される交流電源が供給される。
【００３８】
なお、切替ＳＷ４６から電源コンセント５３への交流電源の供給経路上には、電源コンセント５３を介して電動作業機器に供給される交流電流を検出する電流検出回路５４が設けられている。
【００３９】
また、集塵機本体４０には、絶縁制御電源５２にて生成された直流電圧を電源電圧として通信ユニット６０に供給すると共に、通信ユニット６０との間で、電動工具２側の通信ユニット３０から送信された連動指令や集塵モータ４２の駆動状態等の情報をやりとりするための、インターフェイス回路（ＩＦ回路）５８が設けられている。
【００４０】
そして、絶縁制御電源５２からＩＦ回路５８に至る直流電源の供給経路上には、通信ユニット６０に供給される直流電流を検出する電流検出回路５６が備えられており、この電流検出回路５６から、制御回路５０には、直流電流の検出結果が入力される。
【００４１】
また、電流検出回路５４による電流検出結果や切替ＳＷ４６の切替状態は、フォトカプラからなる信号絶縁回路４８を介して、制御回路５０に入力される。
そして、制御回路５０は、切替ＳＷ４６の切替状態（この場合、連動／非連動）及び電源コンセント５３から電動作業機器に供給される交流電流の電流値に基づき、集塵モータ駆動回路４４を介して集塵モータ４２を駆動させる。
【００４２】
また、制御回路５０は、電流検出回路５６にて検出される直流電流の電流値に基づき、ＩＦ回路５８に通信ユニット６０が装着されているか否かを判断する。そして、通信ユニット６０が装着されていて、切替ＳＷ４６が「連動」に切り替えられているときには、通信ユニット６０から入力される駆動指令に従い、集塵モータ駆動回路４４を介して集塵モータ４２を駆動させる。
【００４３】
また、制御回路５０から集塵モータ駆動回路４４に向けて出力される制御信号も、フォトカプラからなる信号絶縁回路４８を介して、集塵モータ駆動回路４４に入力される。
これは、信号絶縁回路４８と絶縁制御電源５２とにより、ＩＦ回路５８に接続される通信ユニット６０と、電源プラグ４５を介して外部の交流電源から供給される交流電圧の経路とを、電気的に遮断するためである。
【００４４】
つまり、本実施形態では、信号絶縁回路４８と絶縁制御電源５２とにより、外部の交流電源から電源供給を受ける集塵機本体４０の内部回路から、通信ユニット６０に対し、交流電源から絶縁した状態で、電力供給や信号の送受信をすることで、使用者が誤って感電することを防止している。
【００４５】
なお、絶縁制御電源５２は、絶縁トランスを内蔵しており、この絶縁トランスにて交流電源から交流電圧を降圧して電源供給を受ける。
次に、通信ユニット６０には、集塵機本体４０のＩＦ回路５８に装着可能な端子部を備えたＩＦ回路６６、アンテナ６１を介して電動工具２側の通信ユニット３０と無線通信を行う送受信回路６２、及び、送受信回路とＩＦ回路６６との間に設けられた制御回路６４を備える。
【００４６】
制御回路６４は、マイクロコンピュータにて構成されており、送受信回路６２による送・受信信号及びＩＦ回路６６による入・出力信号を制御するためのものである。
つまり、制御回路６４は、送受信回路６２にて電動工具２の通信ユニット３０から送信された連動運転要求信号が受信されると、その信号と共に送信されてくる識別番号信号に基づき、電動工具２が、連動運転の対象となる電動工具であるか否かを判断する。
【００４７】
そして、電動工具２が連動対象である場合に、集塵機本体４０の制御回路５０に対し、集塵モータ４２の駆動指令を出力して、集塵モータ４２を連動運転させる。
このため、通信ユニット６０には、連動運転の対象となる電動工具の識別番号を記憶するための不揮発性メモリ（以下、単にメモリという）６８が設けられている。
【００４８】
そして、制御回路６４は、送受信回路６２により電動工具２側から送信されてきた識別番号が受信されると、その識別番号とメモリ６８内の識別番号とが一致しているか否かを判断し、識別番号が一致しているときに、集塵モータ４２を連動運転させる。
【００４９】
また、識別番号を記憶するためのメモリ６８は、識別番号の追加登録及び削除が可能なＥＥＰＲＯＭ若しくはフラッシュメモリ等にて構成されている。
そして、制御回路６４は、電動工具２側の通信ユニット３０から識別番号の登録要求が送信されてきたときには、その登録要求に含まれる識別番号をメモリ６８に追加登録する。
【００５０】
また、通信ユニット６０には、メモリ６８への識別番号の追加登録を指令するための登録ＳＷやメモリ６８に登録された識別番号の削除を指令するための削除ＳＷを備えたＳＷ回路７０、及び、メモリ６８への識別番号の登録結果や削除結果を報知するための報知回路７２も備えられている。
【００５１】
そして、制御回路６４は、ＳＷ回路７０内の登録ＳＷから識別番号の追加登録指令が入力されると、集塵機４周囲の電動工具２から識別番号を取得してメモリ６８に登録する追加登録処理を実行し、ＳＷ回路７０内の削除ＳＷから識別番号の削除指令が入力されると、メモリ６８から識別番号を削除する識別番号削除処理を実行する。
【００５２】
次に、通信ユニット６０を構成するアンテナ６１、送受信回路６２、制御回路６４、ＩＦ回路６６、メモリ６８、ＳＷ回路７０、及び報知回路７２は、全て、図３に示す回路基板８０の回路パターンと、その回路基板８０に実装される電子部品とにより構成される。
【００５３】
図３に示すように、アンテナ６１及びＩＦ回路６６（詳しくは集塵機本体４０への接続用のコネクタ）は、それぞれ、回路基板８０の両端に実装される。そして、回路基板８０には、アンテナ６１とＩＦ回路６６との間に、送受信回路６２、制御回路６４、メモリ６８、ＳＷ回路７０、及び報知回路７２を構成する電子部品の部品実装エリア８２が設定されている。
【００５４】
また、回路基板８０には、部品実装エリア８２に上記各回路の電子部品を実装した後、その部品実装エリア８２を覆うように、防水用の樹脂ケース８４が装着される。
なお、樹脂ケース８４は、部品実装エリア８２に加えて、ＩＦ回路６６の集塵機本体４０への接続部を除く一部も覆うように構成されている。
【００５５】
そして、回路基板８０は、部品実装エリア８２を防水用の樹脂ケース８４にて覆った状態で、合成樹脂製の外部ケース８６に収納される。
なお、外部ケース８６は、ＩＦ回路６６の接続部を外に突出させるように形成されており、通信ユニット６０は、その接続部を介して、集塵機本体４０のＩＦ回路５８に接続される。
【００５６】
次に、電動工具２の通信ユニット３０は、集塵機４の通信ユニット６０と同様、動作検出回路３２、アンテナ３３、送受信回路３４、制御回路３６、ＳＷ回路３８、及び、識別番号設定部３７を構成する電子部品を回路基板９０に実装することにより構成されている。
【００５７】
そして、図４に示すように、アンテナ３３は、回路基板９０の端部に実装されており、アンテナ３３以外の電子部品は、回路基板９０中央の部品実装エリアに実装されている。また、その部品実装エリアは、集塵機４の通信ユニット６０と同様、防水用の樹脂ケース９２で覆われている。
【００５８】
このように電子部品が実装され、アンテナ３３以外の電子部品を覆うように樹脂ケース９２が装着された回路基板９０は、集塵機４の通信ユニット６０と同様、外部ケース９４に収納される。
【００５９】
この外部ケース９４は、工具本体１０とバッテリパック２０とを連結する機能を持たせるために、回路基板９０における電子部品の実装面側に工具本体１０の装着部９５が形成され、その実装面とは反対側にバッテリパック２０の装着部９６が形成されている。
【００６０】
そして、装着部９５には、切削砥石１２が装着される工具本体１０の先端側をアンテナ３３とは反対側から突出させた状態で、工具本体１０の後端側が装着され、装着部９６には、バッテリパック２０が装着される。
【００６１】
以上説明したように、本実施形態の集塵機４においては、集塵機本体４０内に、フォトカプラにて構成される信号絶縁回路４８と絶縁トランスにて構成される絶縁制御電源５２とが備えられ、これら各部によって、外部の交流電源から供給される交流電圧の経路と、通信ユニット６０とが電気的に絶縁されている。
【００６２】
このため、通信ユニット６０に交流電源から絶縁して電力供給や信号の送受信をすることで、集塵機本体４０に通信ユニット６０を装着する際、使用者が、ＩＦ回路５８の端子を触ったとしても、感電するようなことはなく、安全性を向上できる。
【００６３】
また、通信ユニット６０において、アンテナ６１は、制御回路６４等の内部回路を挟んで、通信ユニット６０側の信号入出力部であるＩＦ回路６６とは反対側に配置されている。このため、アンテナ６１を、無線通信の妨げとなる集塵機本体４０との接続部分から遠ざけることができ、アンテナ６１による無線通信を良好に実行できる。
【００６４】
また、通信ユニット６０において、アンテナ６１及びＩＦ回路６６のコネクタを除いて、全ての構成部品（電子部品）は、回路基板８０上で防水用の樹脂ケース８４により覆われることから、通信ユニット６０の耐水性を高めることができる。
【００６５】
また、特に、電動工具２の通信ユニット３０は、電動工具２の使用によって、水がかかり易いが、この通信ユニット３０においても、アンテナ３３以外の構成部品（電子部品）が、回路基板９０上で防水用の樹脂ケース９２により覆われることから、耐水性を高め、通信ユニット３０に水がかかることにより生じる故障の発生を低減できる。
【００６６】
また集塵機本体４０において、絶縁制御電源５２から通信ユニット６０に供給される直流電源の経路上には、電流検出回路５６が設けられており、制御回路５０が、その電流検出回路５６にて検出された電流に基づき、通信ユニット６０が装着されたことを検出するようにされている。
【００６７】
このため、集塵機本体４０に、通信ユニット６０が装着されたことを検出するための専用端子を設けることなく、通信ユニットの装着を検出することができ、ＩＦ回路５８を構成するコネクタのサイズを小さくして、集塵機本体４０の小型化及びコストダウンを図ることができる。
【００６８】
なお、本実施形態においては、絶縁制御電源５２及び信号絶縁回路４８が、本発明の絶縁手段に相当し、この内、特に、信号絶縁回路４８は、本発明の非接触回路に相当する。また、ＩＦ回路６６は、本発明の信号入力部に相当し、制御回路６４は、本発明の制御部に相当する。
【００６９】
以上、本発明の一実施形態について説明したが、本発明は、上記実施形態に限定されるものではなく、本発明の要旨を逸脱しない範囲内にて、種々の態様をとることができる。
例えば、上記実施形態では、通信ユニットと外部の交流電源との間を絶縁するために、集塵機本体内に絶縁トランスにて構成される絶縁制御電源５２とフォトカプラにて構成される信号絶縁回路４８とを設けるものとして説明したが、ＩＦ回路５８に絶縁トランスやフォトカプラを設けることで、集塵機本体と通信ユニット６０との間を、電気的に絶縁するようにしてもよい。
【００７０】
また、この絶縁は、集塵機本体４０から通信ユニット６０に流れるリーク電流を既定値以下に制限できればよいため、例えば、その電流経路に、コンデンサや抵抗でインピーダンスを持たせるようにしてもよい。
【００７１】
また、絶縁制御電源５２は、絶縁式のスイッチング電源を用いてもよい。
また、上記実施形態では、通信ユニット６０に対し、絶縁制御電源５２にて生成された直流電圧を、電源電圧として供給するようにしたが、集塵機本体４０から通信ユニット６０への電源供給は必ずしも実施する必要はなく、通信ユニット６０には、直流電源としての電池を内蔵するようにしてもよい。
【００７２】
そしてこのようにすれば、集塵機本体４０と通信ユニット６０との間にフォトカプラ等を設けるだけで、交流電源と通信ユニット６０との間を絶縁でき、絶縁手段としての機能を極めて簡単に実現できる。
【００７３】
また、上記実施形態では、通信ユニット３０、６０において、アンテナ３３、６１は、樹脂ケース８４、９２の外に配置されるものとして説明したが、アンテナ３３、６１についても、樹脂ケース８４、９２内に収納するようにしてもよい。
【００７４】
また、上記実施形態では、集塵機４の連動運転の対象となる電動作業機器は、グラインダであるものとして説明したが、マルノコ、カンナ等、その運転により粉塵や切削屑を排出する電動作業機器であればよい。
【符号の説明】
【００７５】
２…電動工具、４…集塵機、１０…工具本体、１２…切削砥石、１４…モータ、１６…駆動回路、１８…トリガスイッチ、２０…バッテリパック、２２…バッテリ、３０…通信ユニット、３２…動作検出回路、３３…アンテナ、３４…送受信回路、３６…制御回路、３７…識別番号設定部、３８…ＳＷ回路、４０…集塵機本体、４１…集塵ホース、４２…集塵モータ、４４…集塵モータ駆動回路、４５…電源プラグ、４６…切替ＳＷ、４８…信号絶縁回路、５０…制御回路、５２…絶縁制御電源、５２…制御回路、５３…電源コンセント、５４，５６…電流検出回路、５８…ＩＦ回路、６０…通信ユニット、６１…アンテナ、６２…送受信回路、６４…制御回路、６６…ＩＦ回路、６８…メモリ、７０…ＳＷ回路、７２…報知回路、８０，９０…回路基板、８２…部品実装エリア、８４，９２…樹脂ケース、８６，９４…外部ケース、９５，９６…装着部。
【図１】
2015029962.tif 000003
【図２】
2015029962.tif 000004
【図３】
2015029962.tif 000005
【図４】
2015029962.tif 000006